(57)【要約】【課題】    外観意匠性を高めるとともに、加工性および取付作業性を向上させることができる棒状体の連結構造、格子体の連結構造および手摺りを提供すること。【解決手段】格子ユニット１０Ｂ，１０Ｃの横格子１２における端部開口に挿入した連結ブロック２０を、連結板２１で連結することで横格子１２同士が連結されるため、大きな開口を横格子１２に設けなくてもよくなり、手摺りの外観意匠性を向上させることができるとともに、横格子１２の加工手間を削減して加工性を向上させることができる。さらに、連結ブロック２０を横格子１２の端部から大きく突出させなくてもよく、連結部の反対側に大きなクリアランスを設ける必要がないので、予めユニット化した格子ユニットごとに設置することができ、取付作業の作業性を向上させることができる。【選択図】  図４
2006214233.tif 000002
【特許請求の範囲】
【請求項１】
一対の棒状体の端部同士を連結する棒状体の連結構造であって、
前記一対の棒状体の対向する端部開口にそれぞれ挿入されて各々の棒状体に固定される一対の内部部材と、
前記棒状体の長手方向に交差した外部から当該棒状体に挿入されて前記一対の内部部材同士を連結する連結部材とを備えた棒状体の連結構造。
【請求項２】
長尺棒状の横材およびこの横材を固定する縦材とを各々に有した一対の格子体において、前記横材の端部同士を連結する格子体の連結構造であって、
前記一対の格子体における前記横材の対向する端部開口にそれぞれ挿入されて各々の横材に固定される一対の内部部材と、
前記横材の長手方向に交差した外部から当該横材に挿入されて前記一対の内部部材同士を連結する連結部材とを備えた格子体の連結構造。
【請求項３】
前記横材は、断面中空状に形成されるとともに、前記連結部材を挿通させる挿通開口を有しており、
前記一対の格子体における前記横材に跨って前記挿通開口を塞ぐカバー部材を備えた請求項２に記載の格子体の連結構造。
【請求項４】
前記挿通開口は、前記横材の下面における前記格子体の非意匠側面寄りに設けられ、この挿通開口を介して前記連結部材は、前記格子体の非意匠側面から意匠側面に向かって斜め上方に挿入される請求項３に記載の格子体の連結構造。
【請求項５】
前記連結部材は、互いに略平行に対向して延びる一対の延出片と、これらの延出片の一端同士を連結する連結片とを有して略コ字形に形成され、
前記一対の内部部材には、それぞれ前記連結部材の延出片を案内する案内溝部が形成され、これらの案内溝部に挿入した前記連結部材の延出片で当該一対の内部部材が挟持される請求項２から請求項４のいずれかに記載の格子体の連結構造。
【請求項６】
前記一対の内部部材のうちの少なくとも一方には、他方に向かって突出するとともに他方に嵌合可能な突出部が設けられている請求項２から請求項５のいずれかに記載の格子体の連結構造。
【請求項７】
請求項２から請求項６のいずれかに記載の連結構造で連結された格子体を備える手摺り。
【発明の詳細な説明】
【技術分野】
【０００１】
本発明は、棒状体の連結構造、格子体の連結構造および手摺りに関し、詳しくは、一対の棒状体の端部同士を連結する棒状体の連結構造、長尺棒状の横材を各々に有した一対の格子体における横材の端部同士を連結する格子体の連結構造、およびこの連結構造で連結された格子体を備える手摺りに関する。
【背景技術】
【０００２】
従来、バルコニー等に設けられる保護柵における横枠などの棒状体同士を連結する連結構造が知られている（例えば、特許文献１参照）。この連結構造は、保護柵のコーナー部において互いに略直交する一対の棒状体（横枠）同士を、略Ｌ字形のコーナー部材（コーナー金具）で連結するもので、４５°カットした中空状の横枠内部にコーナー金具の翼片部を挿入するとともに、この翼片部の先端フランジと横枠内の結合板とを結合ビスで結合することで、横枠同士を連結するものである。そして、この連結構造では、結合ビスを締め付けることで一対の横枠同士を互いに引き寄せて、横枠連結部分に隙間が生じないようになっている。
【０００３】
【特許文献１】実公昭５７−１４２８８号公報
【発明の開示】
【発明が解決しようとする課題】
【０００４】
しかしながら、従来の連結構造において棒状体内部にコーナー部材を挿入するためには、棒状体の連結部側端縁近傍の少なくとも一面（前記特許文献１では下面）に、コーナー部材が通過可能な大きな開口を設けなければならず、意匠性の点で問題である。さらに、結合ビスを螺合するためにも棒状体の連結部側端縁から離れた位置に開口を設ける必要があり、この点でも意匠性が劣ってしまうとともに、棒状体の加工手間が増加してしまうという問題もある。
【０００５】
一方、従来の連結構造において棒状体の連結部側端からコーナー部材を挿入することで、棒状体に大きな開口を設けなくても連結できるようになるが、このようにコーナー部材を挿入する場合には、一方の棒状体に一方の翼片部を挿入して固定した後に、他方の翼片部を他方の棒状体に挿入する必要があるため、次のような問題が生じる。
すなわち、保護柵を建物躯体等に取り付ける際には、例えば、一方の棒状体を含んで支柱等とともに格子状に組み立てた一方の柵体を固定した後に、他方の棒状体を含んだ他方の柵体を固定する、つまりユニット化した柵体ごとに取り付ける工法が一般的である。このような取り付け手順において、他方の柵体を取り付ける際には、一方の棒状体から突出したコーナー部材の翼片部を他方の棒状体に挿入しつつ他方の柵体を設置するため、翼片部の突出寸法分だけ他方の柵体を棒状体の長さ方向に進退させるクリアランスが必要となり、このクリアランス分だけ保護柵と建物外壁等との間に隙間が生じてしまう。このため、従来の連結構造では、柵体をユニット化した取り付け方法が実質的に採用できず、取り付け手間が増大してしまうという問題がある。
【０００６】
本発明の目的は、外観意匠性を高めるとともに、加工性および取付作業性を向上させることができる棒状体の連結構造、格子体の連結構造および手摺りを提供することにある。
【課題を解決するための手段】
【０００７】
本発明の棒状体の連結構造は、一対の棒状体の端部同士を連結する棒状体の連結構造であって、前記一対の棒状体の対向する端部開口にそれぞれ挿入されて各々の棒状体に固定される一対の内部部材と、前記棒状体の長手方向に交差した外部から当該棒状体に挿入されて前記一対の内部部材同士を連結する連結部材とを備えたことを特徴とする。
【０００８】
また、本発明の格子体の連結構造は、長尺棒状の横材およびこの横材を固定する縦材とを各々に有した一対の格子体において、前記横材の端部同士を連結する格子体の連結構造であって、前記一対の格子体における前記横材の対向する端部開口にそれぞれ挿入されて各々の横材に固定される一対の内部部材と、前記横材の長手方向に交差した外部から当該横材に挿入されて前記一対の内部部材同士を連結する連結部材とを備えたことを特徴とする。
【０００９】
以上の連結構造によれば、一対の棒状体や一対の格子体の横材における端部開口にそれぞれ挿入して固定した内部部材を、連結部材で連結することで棒状体や横材が連結されるため、従来のようにＬ字形のコーナー部材全体を挿通させるための大きな開口が不要になり、外観の意匠性を向上させることができる。そして、大きな開口を設けなくてもよいことから、棒状体や横材の加工手間を削減して加工性を向上させることができる。
また、従来の連結構造では、一方の棒状体や一方の格子体の横材にコーナー部材を挿入した状態で、他方の棒状体や他方の格子体を進退させながら取り付けるために、建物外壁等との間に大きなクリアランスが必要であったが、本発明の連結構造では、一対の棒状体や一対の格子体の横材にそれぞれ内部部材が挿入されているため、これらの内部部材を大きく突出させなくてもよく、大きなクリアランスを設ける必要がない。そして、一方の棒状体や一方の格子体を取り付けた後に、他方の棒状体や他方の格子体を、これらの棒状体や横材に交差する方向（例えば、上方）から取り付けることができる。従って、棒状体を含んで構成される製品や格子体を予め所定のサイズで組み立てて（ユニット化して）おき、このユニット化した製品や格子体ごとに取り付けることができるので、取付作業の作業性を向上させることができる。
【００１０】
なお、格子体の横材としては、バルコニ等の先端に設けられた手摺りや横格子のように略水平に設置されるものでもよく、また階段等の段部に設けられた手摺りや横格子のように傾斜して設置されたものでもよい。さらに、格子体の横材は、１本でもよく、複数本でもよい。そして、格子体の縦材としては、例えば、手摺り等の支柱であり、建物躯体に固定されて格子体を支持する支持部材である。
また、棒状体としては、特に用途や設置方向等は限定されず、例えば、複数（４本）の棒状体を枠状に組んでサッシや障子、面格子等の枠体を構成するものでもよく、また階段の壁面に固定される手摺りを構成するものでもよく、その他各種用途に利用可能である。
【００１１】
さらに、本発明の格子体の連結構造では、前記横材は、断面中空状に形成されるとともに、前記連結部材を挿通させる挿通開口を有しており、前記一対の格子体における前記横材に跨って前記挿通開口を塞ぐカバー部材を備えることが好ましい。
このような構成によれば、挿通開口としては連結部材が挿通可能な大きさであればよく、従来のように大きな開口でなくてもよく、さらに挿通開口を塞ぐカバー部材を備えているため、意匠性が阻害されることがなく、良好な外観を確保することができる。そして、横材に設けた挿通開口をカバー部材で塞ぐことで、中空状の横材内部への雨水等の浸入を防止することができる。
【００１２】
この際、本発明の格子体の連結構造では、前記挿通開口は、前記横材の下面における前記格子体の非意匠側面寄りに設けられ、この挿通開口を介して前記連結部材は、前記格子体の非意匠側面から意匠側面に向かって斜め上方に挿入されることが好ましい。
ここで、格子体の意匠側面としては、格子体が設置された状態において外観意匠上目立つ側の側面であって、例えば、バルコニに設置される手摺りであれば、バルコニの外側側面であり、バルコニの内側（建物側）側面が非意匠側面である。なお、これらの意匠側面および非意匠側面は、設計において任意に設定することができ、バルコニの外側側面を非意匠側面とし、バルコニの内側側面を意匠側面としてもよい。
このような構成によれば、挿通開口を横材の下面に、かつ格子体の非意匠側面寄りに設けたことで、挿通開口を目立たなくすることができ、より一層外観意匠性を向上させることができる。また、連結部材を格子体の非意匠側面から意匠側面に向かって斜め上方に挿入することで、挿通開口を横材の下面の片側に寄せて設けても、内部部材への掛かり代を確保して確実に連結することができる。
【００１３】
また、本発明の格子体の連結構造では、前記連結部材は、互いに略平行に対向して延びる一対の延出片と、これらの延出片の一端同士を連結する連結片とを有して略コ字形に形成され、前記一対の内部部材には、それぞれ前記連結部材の延出片を案内する案内溝部が形成され、これらの案内溝部に挿入した前記連結部材の延出片で当該一対の内部部材が挟持されることが好ましい。
このような構成によれば、延出片を内部部材の案内溝部に沿わせることで連結部材を容易に挿入することができるとともに、延出片を案内溝部に挿入して一対の内部部材を挟持することで、横材同士を引き寄せることができ、横材間に隙間が生じたり横材同士がずれたりすることを防止して確実に横材同士を連結することができる。
【００１４】
さらに、本発明の格子体の連結構造では、前記一対の内部部材のうちの少なくとも一方には、他方に向かって突出するとともに他方に嵌合可能な突出部が設けられていることが好ましい。
このような構成によれば、突出部が嵌合することで内部部材同士が位置決めされるので、横材同士のずれをより確実に防止することができる。
【００１５】
一方、本発明の手摺りは、前記したいずれかの連結構造で連結された格子体を備えていることを特徴とする。
このような構成によれば、前記した作用効果と略同様の作用効果を備えた、すなわち外観意匠性を高めかつ取付作業性を向上させることができる手摺りを構成することができる。
【発明を実施するための最良の形態】
【００１６】
以下、本発明の実施形態を図面に基づいて説明する。
図１は、本発明の実施形態に係る手摺り１を示す正面図である。図２は、手摺り１を示す平面図である。図３(Ａ)，(Ｂ)は、手摺り１における横格子１２のコーナー部を示す平面図および断面図である。図４(Ａ)，(Ｂ)は、横格子１２の連結構造を示す断面図および平面図である。図５(Ａ)〜(Ｄ)は、横格子１２の連結構造における内部部材を示す四面図である。
【００１７】
図１、２において、手摺り１は、建物のバルコニ２における外周部の立上り壁３の上部に設けられるもので、バルコニ２の外周形状に合わせて平面コ字形やＬ字形に折れ曲がって設置されている。この手摺り１は、立上り壁３に固定される縦材としての支柱１１と、この支柱１１の途中位置に略等間隔で固定された横材（棒状体）としての複数の横格子１２と、支柱１１の上端に固定された笠木１３とを有して構成されている。これらの支柱１１、横格子１２、および笠木１３は、それぞれアルミ形材製の中空部材であって、横格子１２は、支柱１１の側面にビス止め固定され、笠木１３は、支柱１１上端に設けられた接合プレートにビス止め固定されている。そして、支柱１１下端部の中空内部には、立上り壁３に貫入されかつ立上り壁３から上方に突出した支持部材（スリーブ）１４が挿入されるとともに、この支持部材１４にビス止め固定されることで、支柱１１が立上り壁３に固定されるようになっている。
【００１８】
この手摺り１において、支柱１１、横格子１２および笠木１３は、所定の長さごとに予め工場や現地の地上等で組み立てられた格子ユニット（格子体）１０（１０Ａ，１０Ｂ，１０Ｃ）としてユニット化されている。これら複数の格子ユニット１０Ａ，１０Ｂ，１０Ｃは、バルコニ２まで運搬された後に、順に立上り壁３に固定され、これにより手摺り１が設置されるようになっている。
また、手摺り１において、バルコニ２の外側側面、すなわち図２の格子ユニット１０Ａ，１０Ｂにおける下側側面（図１に示す側面）、および格子ユニット１０Ｃにおける左側側面が意匠側面となっている。一方、バルコニ２の内部側（建物の外壁４や窓５側）の側面、すなわち図２の格子ユニット１０Ａ，１０Ｂにおける上側側面、および格子ユニット１０Ｃにおける右側側面が非意匠側面となっている。つまり、手摺り１の意匠側面は、建物の外観上目立つ側の側面であり、非意匠側面は、外観上目立たない側の側面である。
【００１９】
次に、格子ユニット１０における横格子１２の端部同士を連結する連結構造を図３〜図５に基づいて詳しく説明する。なお、ここでは、手摺り１の折れ曲がり部（コーナー部）である一方の格子ユニット１０Ｂと他方の格子ユニット１０Ｃとの連結部に関して説明するが、手摺り１の直線部である格子ユニット１０Ａと格子ユニット１０Ｂとの連結部においても略同様の連結構造が採用可能である。
連結される横格子１２の端部は、ともに４５°カットされており、これらの端部同士は、当該横格子１２の対向する端部開口から中空内部にそれぞれ挿入された一対の内部部材としての連結ブロック２０，２０と、これら一対の連結ブロック２０，２０同士を連結する連結板（連結部材）２１とによって連結されている。そして、一対の連結ブロック２０，２０は、ともに同一形状の部材が用いられている。
【００２０】
横格子１２は、図３(Ｂ)に示すように、上面部１２１、下面部１２２、バルコニ２の内部側に位置する内側面部１２３、およびバルコニ２の外部側に位置する外側面部１２４を有して水平方向に長く扁平な断面形状を有して形成されている。そして、横格子１２の上面部１２１および下面部１２２は、バルコニ２の外部側ほど互いに近づくような曲面状に形成されており、横格子１２の下面部１２２における内側面部１２３近傍位置には、連結板２１を挿通させる挿通開口１２５が形成されている。この挿通開口１２５は、連結される両方の横格子１２に渡って連続して１つの開口を形成するとともに、両方の横格子１２に跨って設けられる平面略Ｌ字形のカバー部材２２によって塞がれるようになっている。
【００２１】
連結ブロック２０は、横格子１２の中空内面に密接するような大きさおよび形状に成形された樹脂製一体成形品であって、横格子１２の開口端縁に沿いかつ開口端縁よりも横格子１２の中空内部側に位置するブロック本体部２０１と、このブロック本体部２０１の一端側（バルコニ２の内部側）から横格子１２の中空内部に延びるブロック固定部２０２と、ブロック本体部２０１の他端側（バルコニ２の外部側）に設けられたブロック先端部２０３とを有して形成されている。このブロック先端部２０３は、４５°カットされた横格子１２の鋭角側端に露出し、手摺り１のコーナー部の頂点を形成するようになっており、コーナー部において横格子１２の鋭角側端部に人や物が接触しないようになっている。
そして、連結ブロック２０は、横格子１２の下面部１２２を貫通してブロック固定部２０２に螺合されるビス２３によって横格子１２に固定されている。また、カバー部材２２は、当該カバー部材２２を貫通してブロック固定部２０２に螺合されるビス２４によって連結ブロック２０に固定されるようになっている。
【００２２】
連結ブロック２０のブロック本体部２０１には、図６に示すように、連結状態において他方の連結ブロック２０に向かって突出するとともに、他方の連結ブロック２０に嵌合可能な２つの突出部２０４が設けられている。これら２つの突出部２０４は、互いに上下および前後（バルコニ２の内外）に重ならない位置に設けられており、一方および他方の連結ブロック２０，２０に同一部材を用いても、２つずつの突出部２０４同士が、互い違いに他方および一方のブロック本体部２０１と嵌合するようになっている。このような突出部２０４を設けたことで、連結ブロック２０同士が上下および前後にずれることを防止して、一対の横格子１２同士の位置決めができるようになっている。
さらに、ブロック本体部２０１の上下面および前面には、横格子１２の長手方向に沿った複数の突片部２０５が形成されており、これらの突片部２０５が横格子１２の中空内面に摺接することで、連結ブロック２０を横格子１２に挿入する際の摩擦抵抗が低減されるようになっている。さらに、これらの突片部２０５が横格子１２の面に密接することで、連結ブロック２０が横格子１２の中空部に圧入されることとなり、横格子１２と連結ブロック２０とが緊密に接合されて、横格子１２同士の連結を強固にすることができる。
【００２３】
連結板２１は、金属製の板材から形成され、互いに略平行に対向して延びる一対の延出片部２１１と、これらの延出片部２１１，２１１の一端（バルコニ２の内部側端）同士を連結する連結片部２１２とを有して略コ字形に形成されている。
そして、連結ブロック２０のブロック本体部２０１には、連結板２１の延出片部２１１を案内する案内溝部２０６が形成されており、この案内溝部２０６に案内されることで、連結板２１は、図５に示すように、横格子１２の外部から中空内部に挿通開口１２５を介して、バルコニ２の内部側から外部側に向かって斜め上方に挿入されるようになっている。さらに、連結ブロック２０および連結板２１は、案内溝部２０６の底面（鉛直面）に連結板２１の延出片部２１１内側面が密接するような形状およびサイズに形成されている。従って、一対の連結ブロック２０，２０は、連結板２１の延出片部２１１に挟持されて互いに近づく方向に付勢され、一対の横格子１２同士の間に隙間が生じないようになっている。
【００２４】
笠木１３は、水平方向に長い扁平な断面形状を有して形成されている。そして、隣り合って設置される笠木１３同士は、図２に示すように、中空内部の２箇所に挿入される連結ブロック１５，１６で連結されている。これらの連結ブロック１５，１６は、前述の横格子１２同士を連結する連結ブロック２０と略同様な構成を備えている。なお、笠木１３を除いて格子ユニット１０を構成してもよい。この場合には、連結ブロック１５，１６が従来の構造のように連結される笠木１３間に跨った形状のものでもよく、また、支柱１１および横格子１２から構成された格子ユニット１０をバルコニ２の立上り壁３に取り付けた後に、笠木１３を支柱１１の上端に取り付ければよい。
【００２５】
以上のような格子ユニット１０の取付手順としては、先ず、組み立てた格子ユニット１０のにおける横格子１２の端部開口から中空内部に連結ブロック２０を挿入し、この連結ブロック２０をビス２３で横格子１２に固定しておく。
次に、格子ユニット１０を立上り壁３上方から下方に向かって下ろしながら支柱１１に支持部材１４を挿入し、これらをビス止め固定して格子ユニット１０を立上り壁３上に設置する。この際、隣接する格子ユニット１０の横格子１２端部において、互いの連結ブロック２０の突出部２０４を嵌合させる。
次に、横格子１２の下面部１２２の挿通開口１２５から連結板２１を挿入し、延出片部２１１で一対の連結ブロック２０の案内溝部２０６を挟持させる。そして、カバー部材２２をビス２４で連結ブロック２０に固定して挿通開口１２５を塞ぐ。
このようにして複数の格子ユニット１０を順次設置することで手摺り１の取り付けが完了する。
【００２６】
このような本実施形態によれば、以下のような効果がある。
（１）すなわち、格子ユニット１０の横格子１２における端部開口に挿入した連結ブロック２０を、連結板２１で連結することで横格子１２同士が連結されるため、従来のようにＬ字形のコーナー部材全体を挿通させるための大きな開口が不要になり、手摺り１の外観意匠性を向上させることができる。そして、大きな開口を設けなくてもよいことから、横格子１２の加工手間を削減して加工性を向上させることができる。
【００２７】
（２）さらに、連結される一対の横格子１２にそれぞれ連結ブロック２０が挿入されているため、これらの連結ブロック２０を横格子１２の端部から大きく突出させなくてもよく、連結部の反対側に大きなクリアランスを設ける必要がないので、予めユニット化した格子ユニット１０ごとに立上り壁３上に設置することができ、取付作業の作業性を向上させることができる。
【００２８】
（３）また、横格子１２の下面におけるバルコニ２の内部寄りに挿通開口１２５を設けたことで、挿通開口１２５を目立たなくすることができ、より一層外観意匠性を向上させることができる。さらに、連結板２１をバルコニ２の内部側から外部側に向かって斜め上方に挿入することで、挿通開口１２５を横格子１２の下面の片側に寄せて設けても、連結ブロック２０への掛かり代を確保することができる。
【００２９】
（４）そして、挿通開口１２５としては連結板２１が挿通可能な大きさであればよく、従来のように大きな開口でなくてもよく、さらにカバー部材２２で挿通開口１２５が塞がれるため、意匠性が阻害されることがなく、良好な外観を確保することができるとともに、横格子１２の中空内部への雨水等の浸入を防止することができる。
【００３０】
（５）また、連結板２１の延出片部２１１を連結ブロック２０の案内溝部２０６に沿わせることで連結板２１を容易に挿入することができるとともに、延出片部２１１を案内溝部２０６の底面に密接して一対の連結ブロック２０を挟持することで、横格子１２同士を引き寄せることができ、横格子１２間に隙間が生じたり、ずれたりすることを防止して確実に横格子１２同士を連結することができる。
【００３１】
（６）さらに、一対の連結ブロック２０同士が突出部２０４で嵌合されることで、連結ブロック２０同士が上下および前後方向に位置決めされるので、横格子１２同士のずれをより確実に防止することができる。
【００３２】
なお、本発明は、前記各実施形態に限定されるものではなく、本発明の目的を達成できる他の構成等を含み、以下に示すような変形等も本発明に含まれる。
例えば、前記実施形態においては、手摺り１における横格子１２同士の連結構造について説明したが、本発明の連結構造は、手摺り１に限らず、各種の棒状体同士や格子体の横材同士の連結構造として利用可能である。
【００３３】
また、前記実施形態では、横格子１２が断面中空状に形成されていたが、これに限らず、横格子１２が中実部材から構成されてもよく、この場合には、横格子の端部に連結ブロック２０挿入用の穴が形成されていればよい。
また、前記実施形態では、格子体（格子ユニット１０）の意匠側面をバルコニ２の外側側面とし、非意匠側面をバルコニ２の内側側面としたが、建物側から見た手摺り１の外観が重視される場合には、逆にバルコニ２の内側側面を格子体の意匠側面としてもよい。
【００３４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の実施形態に係る手摺りを示す正面図である。
【図２】前記手摺りを示す平面図である。
【図３】(Ａ)，(Ｂ)は、前記手摺りにおける横格子のコーナー部を示す平面図および断面図である。
【図４】(Ａ)，(Ｂ)は、前記横格子の連結構造を示す断面図および平面図である。
【図５】(Ａ)〜(Ｄ)は、前記横格子の連結構造における内部部材を示す四面図である。
【符号の説明】
【００３６】
１０，１０Ａ，１０Ｂ，１０Ｃ…格子体である格子ユニット、１１…縦材である支柱、１２…横材（棒状体）である横格子、２０…内部部材である連結ブロック、２１…連結部材ある連結板、２２…カバー部材、１２２…下面部、１２５…挿通開口、２０４…突出部、２０６…案内溝部、２１１…延出片部、２１２…連結片部。
【図１】
2006214233.tif 000003
【図２】
2006214233.tif 000004
【図３】
2006214233.tif 000005
【図４】
2006214233.tif 000006
【図５】
2006214233.tif 000007